(57)【要約】【課題】照度分布の平坦性に優れると共に、暗線の発生を抑制できる対向照射が可能であり、且つ厚さが薄い原稿照明装置及び画像読取装置を提供すること。【解決手段】複数の発光素子と、光を長さと幅を有する原稿読取領域に導く反射部材とを備え、複数の発光素子は、長さ方向に列設され、端部の方が中心部よりも発光素子間隔が狭く、発光素子の出射方向は、幅方向と一致し、反射部材は、第１〜３の反射ユニットとを有し、第２の反射ユニットは、発光素子から入射した光を第１及び／または第３の反射ユニットまで他の反射ユニットを介さずに反射するように配設されてなり、第１及び第３の反射ユニットは互いに原稿読取領域を対向照射するように、且つ発光素子及び／または第２の反射ユニットから入射した光を原稿読取領域まで他の反射ユニットを介さずに反射するように配設されてなることを特徴とする。【選択図】図１
2010200132.tif 000002
【特許請求の範囲】
【請求項１】
複数の発光素子と、該複数の発光素子から出射された光を長さと幅を有する原稿読取領域に導く反射部材と、を備え、
前記複数の発光素子は、前記長さ方向に列設され、当該複数の発光素子の端部の方が中心部よりも発光素子間隔が狭くなるように配置されてなり、
前記複数の発光素子の出射方向は、前記幅方向と一致し、
前記反射部材は、第１の反射ユニットと、第２の反射ユニットと、第３の反射ユニットとを有し、
前記第２の反射ユニットは、１以上の平面状の反射面が、前記複数の発光素子から入射した光を前記第１の反射ユニット及び／または前記第３の反射ユニットまで他の反射ユニットを介さずに反射するように配設されてなり、
前記第１の反射ユニット及び前記第３の反射ユニットは互いに前記原稿読取領域を対向照射するように、且つ、いずれも１以上の平面状の反射面が、前記複数の発光素子及び／または前記第２の反射ユニットから入射した光を前記原稿読取領域まで他の反射ユニットを介さずに反射するように配設されてなることを特徴とする原稿照明装置。
但し、前記発光素子の出射方向とは、発光素子からの出射光のうち光強度が最も強い方向とする。
【請求項２】
前記反射部材は、一対のサイドミラーを前記長さ方向両端部に有することを特徴とする請求項１に記載の原稿照明装置。
【請求項３】
前記反射部材は、前記原稿読取領域に対する垂直方向に、当該原稿読取領域からの反射光を出射するための開口領域を有することを特徴とする請求項１または２に記載の原稿照明装置。
【請求項４】
前記第１の反射ユニット及び前記第３の反射ユニットは、それぞれ２以上の平面状の反射面を有し、
前記複数の発光素子から前記原稿読取領域までに経由する各反射面の組み合わせは、７通り以上であることを特徴とする請求項１乃至３のいずれか１項に記載の原稿照明装置。
【請求項５】
前記各反射面の組み合わせの中の少なくとも１は、前記原稿読取領域の幅方向端部側に照度ピークを有することを特徴とする請求項４に記載の原稿照明装置。
【請求項６】
前記発光素子の前記原稿読取領域に対する垂直方向における長さＬ１と、前記発光素子の出射方向における端部から前記第３の反射ユニットまでの距離Ｌ２とが、４＜Ｌ２／Ｌ１＜３０の関係を満たすことを特徴とする請求項１乃至５のいずれか１項に記載の原稿照明装置。
【請求項７】
撮像素子と、原稿を配置する原稿台と、請求項１乃至６のいずれか１項に記載の原稿照明装置と、該原稿照明装置で照明された原稿からの反射光を前記撮像素子上に結像する結像光学系と、を備え、
前記結像光学系は、第１の反射ミラーと、第２の反射ミラーと、第３の反射ミラーと、第１走行体と、第２走行体と、結像レンズとを有し、
前記第１走行体は、前記原稿照明装置と、前記第１の反射ミラーとを保持して走行し、
前記第２走行体は、前記第２の反射ミラーと、前記第３の反射ミラーとを保持して走行し、
前記第１走行体の走行速度Ｖ１と前記第２走行体の走行速度Ｖ２との速度比Ｖ１：Ｖ２は２：１であることを特徴とする画像読取装置。
【請求項８】
撮像素子と、原稿を配置する原稿台と、請求項１乃至６のいずれか１項に記載の原稿照明装置と、該原稿照明装置で照明された原稿からの反射光を前記撮像素子上に結像する結像光学系と、を備え、
前記結像光学系は、１以上の反射ミラーと、結像レンズとを有し、
前記撮像素子と、前記原稿照明装置と、前記１以上の反射ミラーと、前記結像レンズとが一体で走行されることを特徴とする画像読取装置。
【発明の詳細な説明】
【技術分野】
【０００１】
本発明は、デジタル複写機やイメージスキャナ等の画像読取装置に使用され原画等の対象物を照明する原稿照明装置、及び該原稿照明装置を備えた画像読取装置に関し、デジタル複写機、ファクシミリ、プリンタ、及びこれらを組み合わせた複合機等に適用可能なものである。
【背景技術】
【０００２】
近年、発光ダイオード（Ｌｉｇｈｔ Ｅｍｉｔｔｉｎｇ Ｄｉｏｄｅ：以下、ＬＥＤと称する。）の開発が活発に行われており、ＬＥＤ素子の明るさは急激に高まっている。ＬＥＤは一般的に長寿命、高効率、高耐Ｇ性、単色発光などの利点を有しており、多くの照明分野への応用が期待されている。その用途の一つとして、デジタル複写機やイメージスキャナのような画像読取装置の原稿照明装置がある。さらに、白色発光型のＬＥＤ素子における発光スペクトルは可視域の波長帯をカバーしており、カラー画像読取装置の原稿照明装置にも使用することができる。
【０００３】
このため、ＬＥＤを用いた多種多様な原稿照明装置が提案されている。ＬＥＤを用いた原稿照明装置の場合、ＬＥＤ素子の発光面から放出する光束には拡散特性があるため、効率よく原稿読取領域を照明するために、拡散した光束を導光板や反射ミラーを用いて適度に収束させる技術が広く知られている。
【０００４】
例えば、反射ミラーを用いて照明性能を改善する方式として、特許文献１や、特許文献２が挙げられる。特許文献１及び２では、原稿面に対して斜めに光源および照明系が配置されている点、ＬＥＤから放射される光束のうち、最も強い放射角（通常、発光面に垂直な方向である。）を中心としたときの発散角の狭い光束成分が直接原稿面を照明している点、また、発散角の広い光束成分は反射ミラーの反射作用によって原稿面に導かれている点で共通する。特許文献１では、曲面を有する反射ミラーを用いた構成が例示されていて、特許文献２では、平面の反射ミラーを用いた構成が例示されている。
【０００５】
しかしながら、特許文献１及び２においては照明系が原稿面に対して斜めに配置されているため、原稿面と垂直な方向の装置の厚さが厚くなり大型化してしまう。また、特許文献１及び２に基づき装置の小型化を試みると、光源から原稿面までの距離が短くなって、照度分布の平坦性が失われてしまう。さらに、特許文献１及び２に記載の発明では１方向からのみ照射する構成であるため、かかる構成では段差のある原稿を読み取る際に、段差部が影となって暗線を生じ易いという問題がある。
またこれらに加えて、特許文献２には発光面を包含する特殊な包含部材を設けたＬＥＤ構造が開示されているが、かかるＬＥＤ構造では汎用的でコストが低いＬＥＤを使用することは難しいためコスト高の問題が生じる。
【０００６】
上記した暗線を生じ易いという問題に対して、例えば特許文献３においては、対向配置された照明部材を用いて照明対象物を２方向から照射（以下、単に対向照射と称することもある。）する構成が開示されている。かかる構成によれば、１方向からの照射のみでは暗線が生じてしまうような原稿の浮きがあっても、暗線の発生を抑制できる。
しかしながら、特許文献３においては、対向配置された照明部材のいずれにおいても光源が設けられているので、装置の大型化やコスト高の問題が生じる。また特許文献３においては、発光素子に付設されるエレキ基板は、副走査方向断面図（原稿面に垂直で副走査方向を含む面による断面図）において、斜め下方に延在した構成図が例示されており、原稿照明装置は副走査方向断面において、装置の高さ方向に大型化してしまう。さらに、光源は原稿面に対して斜めに配置されていることから、装置の高さ方向に大型化してしまう。またさらに、発光素子の発光面の法線は、原稿読取領域の方向を向いていることから、充分な光路長を得ることが難しく、装置の大型化又は照度の非平坦化の問題が生じる。
【０００７】
以上のような問題に鑑み、暗線の発生を抑制できる対向照射が可能で、かつ、原稿照明装置の厚さが薄い構成が望まれている。
【０００８】
また、近年の画像読取装置の高速化、高画質化への要望が高まるに連れて、撮像素子の受光面における副走査方向の照度分布の平坦性に優れる構成が望まれている。
この照度分布の平坦性に優れる構成が望まれる理由について以下に説明する。
原稿面上のＣＣＤ読取ライン幅は、主走査方向における原稿サイズに相当する。このＣＣＤ読取ラインの副走査方向の位置は、反射ミラーや結像レンズ等の光学部材調整時の誤差や、原稿を主走査方向先端から末端まで走査する際の各部材位置の変動などにより、基準の副走査位置からずれる可能性がある。通常は読み取り系の光軸中心に対して、０．２〜１．０ｍｍ程度副走査方向に移動する可能性がある。
【０００９】
このため照明光量の分布の平坦性が充分でないと、照明光量が不足した領域または過剰な領域の反射光を読み取ってしまい、画像欠陥（読み取り精度の悪化）が生じる。従って、このようなずれが発生した時でも照明光量の変化を抑制するためには、過不足がなく適切な照明光量をもった領域を副走査方向に数ｍｍ程度有する照度分布が得られる構成であることを要する。
【００１０】
特に、デジタル複写機やイメージスキャナの場合には受光部（原稿読取領域）の副走査方向の幅は例えば０．１ｍｍ程度と狭いため、照度分布曲線の中心位置が原稿読取領域からずれると、大幅に原稿読取領域の照度が落ちてしまう。
このため、デジタル複写機やイメージスキャナにおいては、撮像素子の受光面における副走査方向の照度分布の平坦性に優れる、即ち、適切な光量が得られるような領域が前記副走査方向において幅広であり、照明の中心位置が原稿読取領域からずれても原稿読取領域の照度差を生じない原稿照明装置が求められる。
より具体的には、照度分布の最大値の近傍で、読み取りに必要な幅に、機構的な誤差等による変動幅を加えた幅以上の照度むらの少ない部分、即ち、照度の平坦部を有することが望まれる。
【００１１】
尚、上記の平坦部は、補正で実用に差し支えない範囲の出力データ変化率に収めることが可能な部分を言い、モノクロ画像を取り扱う場合、ゲイン調整などの電気的補正をすることで入力データ変化率は３０％程度まで許容できる。ところが、カラー画像を扱う場合には、ゲイン調整による補正が可能な範囲に収めるよりも、三原色の色バランスの崩れを補正できる範囲に収める必要があり、平坦部の範囲は入力データ変化率を１２％程度以下としなくてはならない。
【００１２】
しかしながら、特許文献１〜３に記載の発明では照度分布の平坦性は充分ではなく、さらなる改良が求められている。
【発明の概要】
【発明が解決しようとする課題】
【００１３】
本発明は、以上の従来技術における問題に鑑みてなされたものであり、照度分布の平坦性に優れると共に、暗線の発生を抑制できる対向照射が可能であり、且つ、原稿照明装置の厚さが薄い原稿照明装置、及び該原稿照明装置を用いた画像読取装置を提供することを目的とする。
【課題を解決するための手段】
【００１４】
上記課題を解決するために本発明に係る原稿照明装置、及び該原稿照明装置を用いた画像読取装置は、具体的には下記（１）〜（８）に記載の技術的特徴を有する。
（１）：複数の発光素子と、該複数の発光素子から出射された光を長さと幅を有する原稿読取領域に導く反射部材と、を備え、前記複数の発光素子は、前記長さ方向に列設され、当該複数の発光素子の端部の方が中心部よりも発光素子間隔が狭くなるように配置されてなり、前記複数の発光素子の出射方向は、前記幅方向と一致し、前記反射部材は、第１の反射ユニットと、第２の反射ユニットと、第３の反射ユニットとを有し、前記第２の反射ユニットは、１以上の平面状の反射面が、前記複数の発光素子から入射した光を前記第１の反射ユニット及び／または前記第３の反射ユニットまで他の反射ユニットを介さずに反射するように配設されてなり、前記第１の反射ユニット及び前記第３の反射ユニットは互いに前記原稿読取領域を対向照射するように、且つ、いずれも１以上の平面状の反射面が、前記複数の発光素子及び／または前記第２の反射ユニットから入射した光を前記原稿読取領域まで他の反射ユニットを介さずに反射するように配設されてなることを特徴とする原稿照明装置である。但し、前記発光素子の出射方向とは、発光素子からの出射光のうち光強度が最も強い方向とする。
【００１５】
（２）：前記反射部材は、一対のサイドミラーを前記長さ方向両端部に有することを特徴とする上記（１）に記載の原稿照明装置である。
【００１６】
（３）：前記反射部材は、前記原稿読取領域に対する垂直方向に、当該原稿読取領域からの反射光を出射するための開口領域を有することを特徴とする上記（１）または（２）に記載の原稿照明装置である。
【００１７】
（４）：前記第１の反射ユニット及び前記第３の反射ユニットは、それぞれ２以上の平面状の反射面を有し、前記複数の発光素子から前記原稿読取領域までに経由する各反射面の組み合わせは、７通り以上であることを特徴とする上記（１）乃至（３）のいずれか１項に記載の原稿照明装置である。
【００１８】
（５）：前記各反射面の組み合わせの中の少なくとも１は、前記原稿読取領域の幅方向端部側に照度ピークを有することを特徴とする上記（４）に記載の原稿照明装置である。
【００１９】
（６）：前記発光素子の前記原稿読取領域に対する垂直方向における長さＬ１と、前記発光素子の出射方向における端部から前記第３の反射ユニットまでの距離Ｌ２とが、４＜Ｌ２／Ｌ１＜３０の関係を満たすことを特徴とする上記（１）乃至（５）のいずれか１項に記載の原稿照明装置である。
【００２０】
（７）：撮像素子と、原稿を配置する原稿台と、上記（１）乃至（６）のいずれか１項に記載の原稿照明装置と、該原稿照明装置で照明された原稿からの反射光を前記撮像素子上に結像する結像光学系と、を備え、前記結像光学系は、第１の反射ミラーと、第２の反射ミラーと、第３の反射ミラーと、第１走行体と、第２走行体と、結像レンズとを有し、前記第１走行体は、前記原稿照明装置と、前記第１の反射ミラーとを保持して走行し、前記第２走行体は、前記第２の反射ミラーと、前記第３の反射ミラーとを保持して走行し、前記第１走行体の走行速度Ｖ１と前記第２走行体の走行速度Ｖ２との速度比Ｖ１：Ｖ２は２：１であることを特徴とする画像読取装置である。
【００２１】
（８）：撮像素子と、原稿を配置する原稿台と、上記（１）乃至（６）のいずれか１項に記載の原稿照明装置と、該原稿照明装置で照明された原稿からの反射光を前記撮像素子上に結像する結像光学系と、を備え、前記結像光学系は、１以上の反射ミラーと、結像レンズとを有し、前記撮像素子と、前記原稿照明装置と、前記１以上の反射ミラーと、前記結像レンズとが一体で走行されることを特徴とする画像読取装置である。
【発明の効果】
【００２２】
本発明によれば、照度分布の平坦性に優れると共に、暗線の発生を抑制できる対向照射が可能であり、且つ、厚さが薄い原稿照明装置、及び該原稿照明装置を用いた画像読取装置を提供することができる。
【図面の簡単な説明】
【００２３】
【図１】本発明に係る原稿照明装置の第１の実施の形態における構成を示すＹＺ方向断面概略図である。
【図２】第１の実施の形態における複数の白色ＬＥＤ１の構成を示すＸＺ方向断面概略図である。
【図３】図２に示す複数の白色ＬＥＤ１からの出射光をｃｏｓ４乗補正した後の主走査方向照度分布を示すグラフである。
【図４】本発明に係る原稿照明装置の第１の実施の形態における構成を示すＸＹ方向断面概略図である。
【図５】本発明に係る原稿照明装置の第１の実施の形態における光拡散シート６（σ＝３．５）の光散乱特性を示すグラフである。
【図６】本発明に係る原稿照明装置の第１の実施の形態における光束（Ａ）を示すグラフである。
【図７】本発明に係る原稿照明装置の第１の実施の形態における光束（Ｂ）、（Ｃ）及び（Ｄ）を示すグラフである。
【図８】本発明に係る原稿照明装置の第１の実施の形態における光束（Ｅ）を示すグラフである。
【図９】本発明に係る原稿照明装置の第１の実施の形態における副走査方向照度分布を示すグラフである。
【図１０】本発明に係る原稿照明装置の第２の実施の形態における構成を示すＹＺ方向断面概略図である。
【図１１】本発明に係る原稿照明装置の第１の実施の形態における変形例の構成を示すＹＺ方向断面概略図である。
【図１２】本発明に係る原稿照明装置の第４の実施の形態における構成を示すＹＺ方向断面概略図である。
【図１３】本発明に係る原稿照明装置の第６の実施の形態における構成を示すＹＺ方向断面概略図である。
【図１４】本発明に係る画像読取装置の第５の実施の形態における構成を示すＹＺ方向断面概略図である。
【図１５】本発明に係る画像読取装置の第６の実施の形態における構成を示すＹＺ方向断面概略図である。
【発明を実施するための形態】
【００２４】
〔原稿照明装置〕
＜第１の実施の形態：原稿照明装置＞
本発明に係る原稿照明装置の第１の実施の形態は、複数の発光素子１と、該複数の発光素子１から出射された光を長さと幅を有する原稿読取領域５に導く反射部材と、を備え、前記複数の発光素子１は、前記長さ方向に列設され、当該複数の発光素子１の端部の方が中心部よりも発光素子間隔が狭くなるように配置されてなり、前記複数の発光素子１の出射方向は、前記幅方向と一致し、前記反射部材は、第１の反射ユニット２と、第２の反射ユニット３と、第３の反射ユニット４とを有し、前記第２の反射ユニット３は、１以上の平面状の反射面が、前記複数の発光素子１から入射した光を前記第１の反射ユニット２及び／または前記第３の反射ユニット４まで他の反射ユニットを介さずに反射するように配設されてなり、前記第１の反射ユニット２及び前記第３の反射ユニット４は互いに前記原稿読取領域５を対向照射するように、且つ、いずれも１以上の平面状の反射面が、前記複数の発光素子１及び／または前記第２の反射ユニット３から入射した光を前記原稿読取領域５まで他の反射ユニットを介さずに反射するように配設されてなることを特徴とする。但し、前記発光素子１の出射方向とは、発光素子１からの出射光のうち光強度が最も強い方向とする。
【００２５】
次に、本実施の形態における原稿照明装置についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００２６】
図１は本発明に係る原稿照明装置の第１の実施の形態における構成を示すＹＺ方向（側面）断面概略図である。
図１中、Ｙ方向は原稿読取領域５の幅方向に一致する副走査方向であり、図１における紙面に対して垂直方向であるＸ方向は原稿読取領域５の長さ方向に一致する主走査方向であり、Ｚ方向はＸＹ平面で形成される原稿面に対して垂直な方向である。尚、以下において示す各図のＸＹＺ各方向の定義は、図１の定義と同一である。
本発明に係る原稿照明装置は、複数の発光素子１と、該複数の発光素子１から出射された光を長さと幅を有する原稿読取領域５に導く反射部材と、を備えてなる。
【００２７】
《原稿読取領域５》
原稿読取領域５は、原稿照明装置を構成するものではないコンタクトガラス（原稿台）８上にある仮想領域であって、複数の発光素子１から出射された光を受光する領域でもある。また、原稿読取領域５は照明対象物である原稿の１辺（前記長さ方向の１辺）と同一乃至それ以上の長さと、微小な幅を有する。微小な幅とは任意の長さであり、通常は１０−２〜１ｍｍ程度であるが、後述する撮像素子や結像光学系（いずれも原稿照明装置を構成するものではない）に応じて適当な長さとすることができる。
【００２８】
《複数の発光素子１》
第１の実施の形態では、複数の発光素子として白色ＬＥＤ１が用いられている。本発明はこれに限られるものではなく、各色のＬＥＤを用いることができ、また複数色のＬＥＤを併用することができるが、カラー原稿を良好に読み取ることができる白色ＬＥＤを用いることが好ましい。光源としてＬＥＤを用いることで、従来の冷陰極管やキセノンランプに比べて低電力で寿命が長い原稿照明装置とすることができる。
白色ＬＥＤ１としては従来公知のものをそのまま適用できる。白色ＬＥＤ１のチップ形状としても任意のものが使用でき、例えば円形や角型のものが挙げられ、本実施の形態では円形のものを用いた。また、汎用的でコストが低いものを用いることで、汎用性が高く、且つ、低コストの原稿照明装置とすることができる。
【００２９】
図２は第１の実施の形態における複数の白色ＬＥＤ１の構成を示すＸＺ方向断面概略図である。
図２に示すように、本発明において白色ＬＥＤ１は、主走査方向である原稿読取領域５の長さ方向（Ｘ方向）に列設され、この列設された白色ＬＥＤ１の端部の方が中心部よりも発光素子間隔が狭くなるように配置されてなる。また、複数の白色ＬＥＤ１はＬＥＤアレイ９として一体形成されてなる。尚、本実施の形態では図２に示すように複数の白色ＬＥＤ１は互いに離間してなる構成であるが、本発明の原稿照明装置はこれに限定されるものではない。例えばこれに換えて、端部が隣接し中央部のみが離間した構成であっても良い。即ち、列設されたＬＥＤの端部の方が中心部よりも発光素子間隔が狭くなるように配置されていれば良く、隣接／離間といった具体的な態様はＬＥＤの大きさなどに応じて適宜決め得るものである。
【００３０】
図３は、図２に示す複数の白色ＬＥＤ１からの出射光をｃｏｓ４乗補正した後の主走査方向照度分布を示すグラフである。
図２に示すような非等間隔の配置とすることで、主走査方向照度分布を一様平坦なものとすることができる。本実施の形態では、主走査方向の照度分布むらは１３％程度である。尚、ここで言う照度分布むらとは、当該照度分布における最大照度と最小照度との差分を、最大照度で除したものを言う。
【００３１】
また本発明において白色ＬＥＤ１は、その発光面の法線（ノルマルベクトル）が、副走査方向である原稿読取領域５の幅方向（Ｙ方向）と一致する。本実施の形態の場合、この発光面の法線が白色ＬＥＤ１の出射方向であり、当該白色ＬＥＤ１からの出射光のうち光強度が最も強い光束の出射方向である。
但し、白色ＬＥＤ１の出射方向が原稿読取領域５の幅方向に厳密に一致することまでは要しない。即ち、製造上の多少の誤差等、本発明の効果を損なわない程度のものであれば許容できる。しかしながら、白色ＬＥＤ１の出射方向は、前記幅方向に一致する方向よりも、原稿読取領域５側に傾斜してなると安全性（ユーザの目に直接光が入射する危険性）の面から好ましくない。
【００３２】
尚、本実施の形態では屈折型素子を用いていないので、波長の違いによって屈折角が変わって原稿読取領域５上で色ずれが生じるという不具合が発生しないという効果も奏する。
【００３３】
《反射部材》
反射部材は、白色ＬＥＤ１から出射された光を、原稿読取領域５に反射して導くものである。
本発明における反射部材は、第１の反射ユニット２と、第２の反射ユニット３と、第３の反射ユニット４とを有する。
本実施の形態では、第１の反射ユニット２及び第２の反射ユニット３と、第３の反射ユニット４とは、副走査方向（Ｙ方向）において原稿読取領域５から見て反対となるように配置されてなる。また、第１の反射ユニット２及び第２の反射ユニット３は、原稿読取領域５から見て白色ＬＥＤ１と副走査方向（Ｙ方向）同一側である。さらに、第１の反射ユニット２と、第２の反射ユニット３とは、原稿面垂直方向（Ｚ方向）において白色ＬＥＤ１から見て反対となるように配置されてなり、原稿面側が第２の反射ユニット３である。
【００３４】
また本発明では、第１の反射ユニット２と第３の反射ユニット４とが、原稿読取領域５を対向照射する。
ここで対向照射とは、原稿読取領域５を含みＺ方向に一致する直線を挟むように対向して配置されている２の反射ユニット２，４が、それぞれ発光素子１からの光を前記原稿読取領域５に対して反射（照射）することを言う。対向照射をすることで、例えば原稿浮きがあるような照明対象物であっても暗線の発生を抑制できる。
【００３５】
次に、各反射ユニット２〜４について説明する。
・第２の反射ユニット３
本実施の形態において、第２の反射ユニット３は１の平面状の反射面で構成されてなり、白色ＬＥＤ１から出射された光束の一部を受光し、後述する第１の反射ユニット２及び／または第３の反射ユニット４まで他の反射ユニットを介さずに反射するように配設されてなる。そして図１に示すとおり、第２の反射ユニット３は第１の反射ユニット２及び／または第３の反射ユニット４に対向し、原稿読取領域５には対向しないように配置される。
尚、本発明における第２の反射ユニット３は、２以上の平面状の反射面で構成されても良い。
【００３６】
・第１の反射ユニット２
本実施の形態において、第１の反射ユニット２は２の平面状の反射面が、白色ＬＥＤ１から出射された光束の一部及び第２の反射ユニット３で反射された光束の少なくとも一部を原稿読取領域５まで他の反射ユニットを介さずに反射するように配設されてなる。
尚、本発明における第１の反射ユニット２は、１の平面状の反射面で構成されても良く、３以上の平面状の反射面で構成されても良い。また、本発明における第１の反射ユニット２は、複数の発光素子１及び／または第２の反射ユニット３から入射した光を原稿読取領域５まで他の反射ユニットを介さずに反射するように配設されてなれば良く、本実施の形態に限られるものではない。
【００３７】
また本実施の形態における第１の反射ユニット２の副走査方向原稿読取領域５側端部は、第２の反射ユニット３の副走査方向原稿読取領域５側端部よりも、原稿読取領域側５に延出した状態で構成されている。かかる構成によって、反射ユニットを原稿面に対して斜めに配置することなく、第１の反射ユニット２からの反射光束を、効率良く原稿読取領域５に導くことができる。
【００３８】
さらに本実施の形態における第１の反射ユニット２によれば、従来のような１の平面状の反射面からなる構成ではなく、２の平面状の反射面からなる構成により、当該第１の反射ユニット２からの反射光を効率よく原稿読取領域５に導くことができる。
【００３９】
ここで、この２の平面状の反射面は連続してなり、且つ、境界となる接合部は段差を有しないことが好ましい。段差を有しないことで、後述する反射フィルムが貼り易く、また、連続した１枚のフィルムを貼って２の平面状の反射板を形成することもできるので、貼付け工程コストを低くする効果があるほか、反射面の境界の反射特性が劣化しないので、光学特性的にも優れた反射面が安価に得られる。
【００４０】
・第３の反射ユニット４
本実施の形態において、第３の反射ユニット４は２の平面状の反射面が、白色ＬＥＤ１から出射された光束の一部及び第２の反射ユニット３で反射された光束の少なくとも一部を原稿読取領域５まで他の反射ユニットを介さずに反射するように配設されてなる。
【００４１】
ここで、この２の平面状の反射面は連続してなり、且つ、境界となる接合部は段差を有しないことが好ましい。段差を有しないことで、後述する反射フィルムが貼り易く、また、連続した１枚のフィルムを貼って２の平面状の反射板を形成することもできるので、貼付け工程コストを低くする効果があるほか、反射面の境界の反射特性が劣化しないので、光学特性的にも優れた反射面が安価に得られる。
【００４２】
尚、本発明における第３の反射ユニット４は、１の平面状の反射面で構成されても良く、３以上の平面状の反射面で構成されても良い。また、本発明における第３の反射ユニット４は、複数の発光素子１及び／または第３の反射ユニット４から入射した光を原稿読取領域５まで他の反射ユニットを介さずに反射するように配設されてなれば良く、本実施の形態に限られるものではない。
【００４３】
また、本発明において第３の反射ユニット４は、発光素子１の原稿読取領域に対する垂直方向における長さＬ１と、発光素子１の発光面の中心（発光素子の出射方向における端部）から第３の反射ユニット４までの距離Ｌ２とが、４＜Ｌ２／Ｌ１＜３０の関係を満たす構成であることが好ましい。さらに、６．７＜Ｌ２／Ｌ１＜１２．５の関係を満たす構成であることがより好ましい。
【００４４】
かかる関係を満たすことで対向照射比率に優れ、且つ、厚さが薄い構成を、光源１のサイズが変動した場合であっても達成できる。
Ｌ２／Ｌ１が４以下となると、対向照明比率に劣り好ましくない。また、Ｌ２／Ｌ１が１３以上であると第３の反射ユニット４のサイズが大きくなり、厚さが厚い構成となってしまい好ましくない。
ここで本実施の形態では、Ｌ１＝２．４ｍｍ、Ｌ２＝２３．３ｍｍであるため、Ｌ２／Ｌ１＝９．７である。
【００４５】
本実施の形態では、原稿面と垂直方向の原稿照明装置の高さ寸法は６．４ｍｍであり、ＹＺ方向断面における高さ寸法（Ｚ方向長さ）を短く構成できている。
【００４６】
また、本実施の形態では（第１〜３の反射ユニットが有する）各反射面は、いずれも平面状である。
このように、全ての反射面は平面で構成されているため、曲面状の反射面と比較して容易に作製することができる。反射面はアルミなどの金属を蒸着することによって作製することができる。あるいは、平面状の部材に安価なメタルミー（登録商標）などの反射フィルムを貼って反射ミラー面を形成することもできる。反射フィルムを貼る場合においては、反射面が曲面であると反射フィルムがしわになって反射特性が劣化し易いが、本実施の形態においては、反射フィルムを貼る面が平面であるために、しわが生じることなく容易に貼りつけることができる。
【００４７】
・サイドミラー１０
本発明における反射部材は、一対のサイドミラー１０を長さ方向（Ｘ方向）両端部に有することが好ましい。
図４は、サイドミラー１０を有する本発明に係る原稿照明装置の第１の実施の形態における構成を示すＸＹ方向（上面）断面概略図である。
本実施の形態では、原稿読取領域５の長さ方向両端から光が漏洩しないように、一対のサイドミラー１０（１０Ａ，１０Ｂ）を原稿読取領域５の長さ方向両端部にＬＥＤアレイ９、第１の反射ユニット２、第２の反射ユニット３及び第３の反射ユニット４に対して隣接して設けられている。
一対のサイドミラー１０の内側は反射面であって、前述した反射ユニット２〜４に用いられる反射面をそのまま用いることができる。
【００４８】
・開口領域７
さらに、反射部材は、原稿読取領域５に対する垂直方向に、当該原稿読取領域５からの反射光を出射するための開口領域７を有することが好ましい。
開口領域７は、原稿読取領域５からの反射光を原稿照明装置外に配置された撮像素子（ＣＣＤ）まで導くための経路として用いられる。また、開口領域７は第１〜３の反射ユニット２，３，４の各ユニット間に設けられた空隙により形成される開口部であることが好ましいが、例えば光透過性に優れた透明部材よりなるものであっても良い。
【００４９】
《光拡散部材６》
本発明では、複数の発光素子１から原稿読取領域５までの光路上に光拡散部材６が設けられている。
光拡散部材６の形状としては、任意の形状をとることができ、本実施の形態における光拡散部材６には、シート状のものが用いられている。
【００５０】
光拡散部材６の厚さは適度な強度と光透過性を有することが必要であり、例えば本実施の形態では５００μｍの光拡散シートを用いている。適度な強度を有する光拡散部材６とすることで破損などが生じ難く、また、拡散面のたわみなどの発生を抑制できる。１００μｍ程度の薄さの光拡散シートを用いる場合には、シートにテンションをかけて保持固定することが好ましい。
【００５１】
本発明に用いられる光拡散部材６は、放射面の垂線方向を０度、放射面に平行方向を±９０度として横軸に角度をとった場合、ガウシアン状の散乱特性を有することが好ましい。図５は本発明に係る原稿照明装置の第１の実施の形態における光拡散シート６（σ＝３．５）の光散乱特性を示すグラフである。
ガウシアン状の散乱特性を有することで、ランバート状の散乱特性を有するものよりも副走査方向における照度分布の平坦性をより向上させるような散乱が為される。但し、本発明はこれに限定されるものではなく、例えば光拡散部材６の配置位置が発光素子１に近い場合はランバート状の散乱特性を有するものを用いても良い。
【００５２】
光拡散部材６のガウシアン係数σは、光射出開口部に設ける場合には２＜σ＜７であることが好ましい。σが２以下であると指向性が強くなって、充分な拡散効果が得られずに安全性に劣る。一方、σが７以上であると拡散性が強くなり過ぎて副走査方向における照度分布の平坦性に劣る。
本実施の形態ではσ＝３．５のものを用いた。
【００５３】
本実施の形態では、光拡散部材６は第１及び第２の反射ユニット２，３の副走査方向原稿読取領域５側端部で構成される光射出開口部に微小間隙を設けて近接配置されていて、シート状の形状である。光射出開口部に設けることで、例えば第１及び第２の反射ユニット２，３に挟まれた内部に設けるよりも容易に取り付けることができる。
【００５４】
また、本発明において光拡散部材６は、拡散面を光出射方向における原稿読取領域５側に向けて配置することが好ましい。かかる配置構成とすることで、拡散面を光出射方向における発光素子１側に向けて配置する場合と比較して光利用効率が高くなる。
ここで、本実施の形態に用いられる光拡散部材６は、シート状で一方の面に凹凸を備える透過型拡散シートであり、この凹凸をもって光の拡散を行う。このとき、凹凸を有している面を拡散面と呼ぶ。
【００５５】
さらに、光射出開口部に設けられた光拡散シート６は、その面がＺ方向と一致するように配設されている（ＸＺ平面に平行な）状態を０度としたとき、Ｚ方向と成す角度θが０度よりも大きく３０度よりも小さいことが好ましい。但し、本実施の形態において、角度θは図１における反時計回り方向をプラス方向とする。（原稿読取領域５に対する垂直方向から発光素子１の出射方向に、発光面側が原稿読取領域５に対向するような回転方向で傾斜して設けられていることが好ましい。）０度である、或いは３０度以上であると、照度分布の平坦性や照明効率、対向照射比率に劣るため好ましくない。尚、対向照射比率（％）とは、原稿読取領域５に入射する光量全体に対する、第３の反射ユニット４を介して原稿読取領域５に入射する光量の割合である。
【００５６】
ここで本実施の形態においては、発光素子１と原稿読取領域５とを結ぶ直線に対して、光拡散部材６が垂直に近いほど照度分布の平坦性や対向照射比率に優れる。また、光拡散部材６外への光の漏洩が生じると安全性の問題が危惧されるため、光拡散部材６は光射出開口部からの光の漏洩を防止するような構成であることが好ましい。
従って、本実施の形態では発光素子１と原稿読取領域５とを結ぶ直線に、光拡散部材６が略垂直となると共に、光拡散部材６が光射出開口部からの光の漏洩を防止できるように上記角度θが２６度になるように配置されている。これは、第２の反射ユニット３よりも第１の反射ユニット２のほうが副走査方向における原稿読取領域５側に延出した構成をとるため実現可能な構成である。
【００５７】
以上の構成の光拡散部材６によって、光射出開口部では光束の分離が阻害されずに光が拡散され、適度な光拡散効果が得られることから、照度分布の平坦性がより優れたものとなる。また、光拡散部材６が白色ＬＥＤ１に対して充分な距離をもって配置されているため、光拡散部材６上に形成される２次的発光面のサイズが大きくなり、極めて安全性が高い。
さらに、上記光拡散効果によって、第２の反射ユニット３から第３の反射ユニット４に導かれる光量が増加するため、対向照射による照度の向上にもつながる。この対向照射による照度の向上は、特に、光拡散部材６と第３の反射ユニット４との距離が短い場合に顕著なものとなる。
【００５８】
尚、言うまでもなく本発明はこの構成に何ら限定されるものではない。例えば、光射出開口部を覆うように隣接配置しても良く、第１及び第２の反射ユニット２，３の副走査方向発光素子１側端部で構成される光入射開口部に（発光素子１側に微小空隙を設けて離間して）近接乃至隣接配置されていても良く、さらには光射出開口部と光入射開口部との間に配置されていても良い。隣接配置した場合には、光射出／入射開口部と光拡散部材６との隙間がなくなるので、隙間から生じる光の漏洩を完全に防止することができ、安全性や光利用効率が向上する。
【００５９】
本実施の形態における光拡散部材６によれば、白色ＬＥＤ１の光スポットを、安価なシート材で拡散できる。本実施の形態においては、光源そのものには特殊な改良を要さないので、安価なＬＥＤチップを使用することができる。光拡散部材６越しには光源そのものの小さな光点が直接見えることはなく、光拡散部材６のシート面上での光スポットのサイズは光源面の光点よりも大きくなっているので、安全性においても優れた構成になっている。
【００６０】
《照度分布》
以上説明した本実施の形態の原稿照明装置では、装置の高さ方向（Ｚ方向）にはスペースをとらずに、発光素子（白色ＬＥＤ）１から出射された光束を、下記光束（Ａ）〜（Ｅ）に分離することができる。
・光束（Ａ）：発光素子１から第１の反射ユニット２により反射され、光拡散部材６を介して原稿読取領域５に導かれる光束。
・光束（Ｂ）：発光素子１から光拡散部材６を介して原稿読取領域５に導かれる光束。
・光束（Ｃ）：発光素子１から第２の反射ユニット３により反射され、第１の反射ユニット２に至り、第１の反射ユニット２で反射され光拡散部材６を介して原稿読取領域５に導かれる光束。
・光束（Ｄ）：発光素子１から第２の反射ユニット３により反射され、光拡散部材６を介して第３の反射ユニット４に至り、第３の反射ユニット４で反射されて原稿読取領域５に導かれる光束。
・光束（Ｅ）：発光素子１から光拡散部材６を介して第３の反射ユニット４に至り、第３の反射ユニット４で反射されて原稿読取領域５に導かれる光束。
【００６１】
上記光束（Ａ）〜（Ｅ）について図面に基づき詳細に説明する。
図６は本発明に係る原稿照明装置の第１の実施の形態における光束（Ａ）を示すグラフである。
図６に示すように、２の平面状の反射板で構成された第１の反射ユニット２により、白色ＬＥＤ１から出射された光束の一部が不図示の光拡散部材６を介して原稿読取領域５に向けて反射されている。
【００６２】
図７は本発明に係る原稿照明装置の第１の実施の形態における光束（Ｂ）、（Ｃ）及び（Ｄ）を示すグラフである。
図７に示すように、１の平面状の反射板で構成された第２の反射ユニット３により、白色ＬＥＤ１から出射された光束の一部が第１の反射ユニット２及び第３の反射ユニット４に向けて反射されている。次いで、第１の反射ユニット２及び第３の反射ユニット４に向けて反射された光束は、いずれもさらに反射されて原稿読取領域５に至る。このとき、第１の反射ユニット２と原稿読取領域５の間、または第２の反射ユニット３と第３の反射ユニット４の間に介在する光拡散部材６を透過する。
また、図７に示すように、白色ＬＥＤ１から出射された光束の一部が不図示の光拡散部材６を介して原稿読取領域５に至る。
【００６３】
図８は本発明に係る原稿照明装置の第１の実施の形態における光束（Ｅ）を示すグラフである。
図８に示すように、２の平面状の反射板で構成された第３の反射ユニット４により、白色ＬＥＤ１から出射された光束の一部が不図示の光拡散部材６を介して原稿読取領域５に向けて反射されている。
【００６４】
そして、上記光束（Ａ）〜（Ｅ）を原稿読取領域５上で重畳して照明することにより、図９に示すように、副走査方向に幅広で平坦な照度分布を得ることができた。この照度分布より、σ＝３．５のときの、撮像素子の受光面における副走査方向の照度分布について評価した。原稿読取領域５上の副走査方向の幅５ｍｍに相当する領域における受光面での照度分布の平坦性を、（最大照度値−最小照度値）／（最大照度値）として評価したところ、１１．５％であった。また同様に、４ｍｍ相当幅では僅かに６％弱であった。
また、本実施の形態における光利用効率は２１％強であった。ここで言う光利用効率（％）とは、発光素子１から出射される光束量（Ｌｍ）に対する原稿照明領域５に到達する光束量（Ｌｍ）の割合である。
さらに、第３の反射ユニットを介して原稿読取領域５に至る光束（Ｄ）及び（Ｅ）の照度（対向照射比率）は、全照度の３５％以上確保されているため、対向照射によっても充分な照度が得られている。
【００６５】
尚、詳細については後述するが、原稿読取領域５からの反射光は開口領域７から出射されて結像光学系を介して撮像素子（ＣＣＤ）に至る。このとき、コサイン４乗則により結像レンズの画角に応じて、撮像素子面上に到達した反射光の周辺照度が暗くなることが知られている。このため、評価対象とする照度分布は、上述のコサイン４乗則による劣化が生じることを考慮し、これを補正した上で評価した。この補正後の照度分布において平坦なものであることが好ましい。換言すると、コサイン４乗補正をしない場合の照度分布を評価する場合には、副走査方向の読み取り位置の中央よりも周辺の方が明るい照度分布が得られるものであることが好ましい。
【００６６】
さらに、発光素子１の発光面は例えば縦横２００μｍ程度と小さいので点光源に近いものであったが、上記光束（Ｂ）は光拡散部材６を介することによって直径（詳細にはパワーがピークの１／ｅに下がる全幅）が２ｍｍ弱の２次光源像に拡大されている。例えば、光拡散部材６としてガウシアン係数が６の拡散シートを使用すると、１．６ｍｍ程度のスポット径が得られている。このような光スポットの拡大効果によって、光拡散部材６上の光スポットを直視した際の安全性は高くなっている。また、白色ＬＥＤ１の発光面を直視することもできない構成にもなっている。
【００６７】
また本発明では、複数の発光素子１から原稿読取領域５までに経由する各反射面の組み合わせは、７通り以上であることが好ましい。図６、図７及び図８に示すように、本実施の形態では、上記光束（Ａ）は２通りの組み合わせ、上記光束（Ｃ）は２通りの組み合わせ、上記光束（Ｄ）は１通りの組み合わせ、上記光束（Ｅ）は２通りの組み合わせが存在し、合計７通りの組み合わせとなる。
このような７通りの組み合わせとすることで、照度分布特性の異なる照明光束を多数生成することができ、平坦性を向上させることができる。
【００６８】
また、照明光束は原稿読取領域５の副走査方向（幅方向）中心よりも、周辺（端部側）に照度ピークを有する。
ここで、発光素子１は発光面の法線方向の放射光が最も強く、法線と成す角度が大きいほど、放射光は弱くなる特性を有している。このため、上記した各光束について、法線と成す角度が最も小さい光線と、最も大きい光線とに注目して、これらの光線が原稿読取領域５に到達する位置を各図から読み取ることができる。そして、そのようにみれば、原稿読取領域５の副走査方向における照度のピーク位置が副走査方向の周辺寄り（端部側）にあることがわかる。
【００６９】
本発明では、複数の照明光束の中で少なくとも１つの光束が副走査方向の周辺に照度ピークを有する構成が好ましく、全ての光束が副走査方向の周辺に照度ピークを有する構成が特に好ましい。このような照度分布特性を有する光束を多数生成し重畳しているので、副走査方向の周辺部の照度が高くなるような照度分布を生成できる。そして、結像レンズ１２を介して撮像素子１１で受光した際には、コサイン４乗則の効果によって周辺部の照度か低下する結果、撮像素子１１の受光面上では副走査方向（幅方向）対応位置での照度分布が平坦になると共に、照度分布が平坦な領域を広く形成できた。
【００７０】
＜第２の実施の形態：原稿照明装置＞
図１０は本発明に係る原稿照明装置の第２の実施の形態における構成を示すＹＺ方向断面概略図である。
本実施の形態では、第１の実施の形態と比較して、光拡散部材６である光拡散シートを第１及び第２の反射ユニット２，３の副走査方向白色ＬＥＤ１側端部で構成される光入射開口部に微小間隙を設けて近接配置されている。
また、光拡散シート６は白色ＬＥＤ１の発光面に対して平行に、即ちＸＺ方向に平行に配置されている。（原稿読取領域５に対する垂直方向に平行、且つ、白色ＬＥＤ１の出射方向に垂直に配置されている。）
さらに、後述するように光拡散部材６のガウシアン係数σが異なる。
以上挙げた構成を除き、本実施の形態は上記第１の実施の形態と同一である。
【００７１】
光入射開口部に微小間隙を設けて近接配置されている（白色ＬＥＤ１近傍に配置されている）ことで、第１の実施の形態と比較して光拡散部材６の必要な面積が小さくなり、コストを低くすることができる。具体的には、本実施の形態の光拡散部材６は、第１の実施の形態の１／４〜１／３程度である。また、第１の実施の形態と同様に取り付けが容易であると共に、安全性にも優れる。
【００７２】
また、光入射開口部に微小間隙を設けて近接し、白色ＬＥＤ１の発光面に対して平行に配置されていることで、原稿照明領域５における副走査方向中央部の照明強度ピークを下げることができ、撮像素子の受光面における副走査方向の照度分布の均一性が向上される。
【００７３】
さらに、光拡散部材６で拡散された光束は、第１の反射ユニット２及び第２の反射ユニット３、並びにサイドミラー１０で囲まれた領域に直ちに入射するため、光の漏洩による光量の損失がほとんど発生しないことから、光利用効率が高い。
【００７４】
光入射開口部に光拡散部材６を設ける場合、ガウシアン係数σは、１０＜σ＜１５であることが好ましい。この範囲のガウシアン係数σとすることで、適度な拡散性が得られると共に安全性に優れる。
本実施の形態ではσ＝１３のものを用いた。
【００７５】
尚、本発明に係る原稿照明装置の第１の実施の形態の変形例として、図１１に示すような構成のものが挙げられる。即ち、図１１は本発明に係る原稿照明装置の第１の実施の形態の変形例の構成を示すＹＺ方向断面概略図である。図１１に示す構成では、第１の実施の形態と比較して、光拡散部材６である光拡散シートが前述の光射出開口部と光入射開口部の間に設けられ、第１及び第２の反射ユニット２，３に接している点で相違していて、それ以外は同一である。
【００７６】
＜第３の実施の形態：原稿照明装置＞
本実施の形態は、第１の実施の形態の光拡散部材６である光拡散シートを、ガウシアン係数σ＝６．５のものに変更した以外は同一である。
σ＝６．５のときの、撮像素子の受光面における副走査方向の照度分布について評価した。原稿読取領域５上で副走査方向の幅５ｍｍに相当する領域における受光面での照度分布の平坦性を、（最大照度値−最小照度値）／（最大照度値）として評価したところ、１５．５％であった。また同様に、４ｍｍ相当幅において評価したところ、平坦性は８．３％であった。
【００７７】
尚、参考までにσが７のときの、撮像素子の受光面における副走査方向の照度分布について評価しところ、原稿読取領域５上で副走査方向の幅５ｍｍに相当する領域における受光面での照度分布の平坦性は１８．５％であり、４ｍｍ相当幅において平坦性は１２．５％まで劣化した。
【００７８】
＜第４の実施の形態：原稿照明装置＞
図１２は本発明に係る原稿照明装置の第４の実施の形態における構成を示すＹＺ方向断面概略図である。
本実施の形態では、第１の実施の形態と比較して、第３の反射ユニット４が１の平面状の反射面で構成されている点で相違していて、それ以外は同一である。
１の平面状の反射面で構成されていることで、作製が容易である。
【００７９】
＜第５の実施の形態：原稿照明装置＞
図１３は本発明に係る原稿照明装置の第５の実施の形態における構成を示すＹＺ方向断面概略図である。
本実施の形態では、第１の実施の形態と比較して、光拡散部材６である光拡散シートを設けていない点で相違していて、それ以外は同一である。
【００８０】
本実施の形態において、原稿読取領域５上の副走査方向の幅５ｍｍに相当する領域における受光面での照度分布の平坦性を、（最大照度値−最小照度値）／（最大照度値）として評価したところ、８．５％であった。また同様に、４ｍｍ相当幅では僅かに７％であった。
本実施の形態によれば、第１の実施の形態と同様に照度分布の平坦性に優れ、暗線の発生を抑制できる対向照射が可能であると共に、装置の厚さが薄い構成の原稿照明装置となっている。
【００８１】
〔画像読取装置〕
＜第６の実施の形態：画像読取装置＞
図１４は本発明に係る画像読取装置の第６の実施の形態における構成を示すＹＺ方向断面概略図である。
本実施の形態は、以上説明した第１〜５の実施の形態の原稿照明装置のいずれかを搭載した画像読取装置であり、その特長を活かしたものである。
【００８２】
本実施の形態においては、撮像素子１１と、原稿１５を配置する原稿台（コンタクトガラス）８と、原稿照明装置１００と、該原稿照明装置１００で照明された原稿１５からの反射光を撮像素子１１上に結像する結像光学系と、を備える。
撮像素子１１としては従来公知のものを用いることができ、例えばＣＣＤを用いることができる。ＣＣＤ１１では原稿情報の光信号が電気信号に光電変換されて、原稿１５の原稿面１６を読み取ることができる。
【００８３】
結像光学系は、第１の反射ミラー１３Ａと、第２の反射ミラー１４Ｂと、第３の反射ミラー１４Ｃと、第１走行体１３と、第２走行体１４と、結像レンズ１２とを有する。
第１走行体１３は、原稿照明装置１００と、第１の反射ミラー１３Ａとを保持して走行する。また、第２走行体１４は、第２の反射ミラー１４Ｂと、第３の反射ミラー１４Ｃとを保持して走行する。このときの第１走行体１３の走行速度Ｖ１と第２走行体１４の走行速度Ｖ２との速度比Ｖ１：Ｖ２は２：１である。
【００８４】
図１３に示すとおり、第１走行体１３のＹ方向の変位幅をｙとしたとき、原稿読取領域１０とＣＣＤ１１との距離である光路長はｙだけ変動する。一方、図１３に示すとおり、第２走行体１４のＹ方向の変位幅を同様にｙとしたとき、原稿読取領域１０とＣＣＤ１１との距離である光路長は２×ｙだけ変動する。このため、速度比Ｖ１：Ｖ２が２：１であることで、原稿読取領域１０からＣＣＤ１１までの光路長、換言すると結像光学系の共役長を一定に保ちながら読取走査を行うことができる。
【００８５】
本実施の形態によれば、原稿照明装置１００が薄型化されているため、画像読取装置も薄くコンパクトに構成できる。また、副走査方向の照度分布が平坦な領域が広いという特徴があるため、各反射面、各反射ミラーや結像レンズ１２などの光学素子の設置誤差や、走査駆動に伴う動的変動を許容して、撮像素子１１の受光面上での受光信号の安定性に優れた装置を実現することができる。あるいはこれらの光学素子の公差を緩めることができる。即ち、画像読取装置における静的な位置ズレや、動的な位置変動に伴う、撮像素子１１の受光面上での受光信号の変動に強いものとなる。
【００８６】
＜第７の実施の形態：画像読取装置＞
図１５は本発明に係る画像読取装置の第７の実施の形態における構成を示すＹＺ方向断面概略図である。
本実施の形態は第６の実施の形態と同様に、以上説明した第１〜５の実施の形態の原稿照明装置のいずれかを搭載した画像読取装置であり、その特長を活かしたものである。
【００８７】
本実施の形態においては、撮像素子１１と、原稿１５を配置する原稿台（コンタクトガラス）８と、原稿照明装置１００と、該原稿照明装置１００で照明された原稿１５からの反射光を撮像素子１１上に結像する結像光学系と、を備える点で上記第６の実施の形態と共通する。
【００８８】
本実施の形態における結像光学系は、反射ミラー１７Ｄと、結像レンズ１２とを有する。また、撮像素子１１と、原稿照明装置１００と、反射ミラー１７Ｄと、結像レンズ１２とが一体で走行される。図１４におけるＹ方向（副走査方向）を走行することで、原稿１５の情報を読み取ることができる。
本実施の形態によれば、読取走査の際に反射ミラー１７Ｄを別途駆動する必要がないので、駆動機構装置を簡素化し、画像読取装置全体を小型・軽量化できる。また、走行体を走査駆動する際に振動等が発生しても、原稿照明装置１００、反射ミラー１７Ｄ、結像レンズ１２及び撮像素子１１の相対的な位置変動が、上記第６の実施の形態よりもさらに抑制されることから、撮像素子１１の受光面上で受光する光信号特性が安定化される。
【符号の説明】
【００８９】
１  発光素子（白色ＬＥＤ）
２  第１の反射ユニット
３  第２の反射ユニット
４  第３の反射ユニット
５  原稿読取領域
６  光拡散部材
７  開口領域
８  原稿台（コンタクトガラス）
９  ＬＥＤアレイ
１０  サイドミラー
１１  撮像素子（ＣＣＤ）
１２  結像レンズ
１３  第１走行体
１３Ａ  第１の反射ミラー
１４  第２走行体
１４Ｂ  第２の反射ミラー
１４Ｃ  第３の反射ミラー
１５  原稿
１６  原稿面
１７  走行体
１７Ｄ  反射ミラー
１００  原稿照明装置
【先行技術文献】
【特許文献】
【００９０】
【特許文献１】特開２００６−４２０１６号公報
【特許文献２】特開２００６−２９５８１０号公報
【特許文献３】特開２００８−６７２７６号公報
【図１】
2010200132.tif 000003
【図２】
2010200132.tif 000004
【図３】
2010200132.tif 000005
【図４】
2010200132.tif 000006
【図５】
2010200132.tif 000007
【図６】
2010200132.tif 000008
【図７】
2010200132.tif 000009
【図８】
2010200132.tif 000010
【図９】
2010200132.tif 000011
【図１０】
2010200132.tif 000012
【図１１】
2010200132.tif 000013
【図１２】
2010200132.tif 000014
【図１３】
2010200132.tif 000015
【図１４】
2010200132.tif 000016
【図１５】
2010200132.tif 000017